(57)【特許請求の範囲】
【請求項１】
屋根外観をなすよう屋根組（ＹＨ）に縦葺き固定される屋根板材（３１０）において、
長尺状で所定幅の板材により形成され、屋根の葺き外観を呈する屋根板部材（１２）と、
前記屋根板部材（１２）に配設され、前記屋根組（ＹＨ）から前記屋根板部材（１２）を下支えすると共に、前記屋根組（ＹＨ）に前記屋根板部材（１２）を固定するための固定部材（１６）と、
屋根の屋根勾配に沿って前記屋根板部材（１２）の一方端部辺側に位置し、前記屋根板部材（１２）の側で上向きに開口した凹状の端部凹条部材（３１７）とを備え、
前記屋根板部材（１２）は、前記一方端部辺を、長手方向に沿って屈曲形成して前記屋根組（ＹＨ）の側から上方に向かわせた上方指向端部辺（３１６）とすると共に、他方の端部辺の側に、隣り合う前記屋根板部材（１２）が有する前記上方指向端部辺（３１６）が前記屋根組（ＹＨ）の側から入り込むよう前記屋根組（ＹＨ）の側に下向きに開口した凹状の下指向凹条部（３１４Ｌ）を屈曲形成して有し、
前記屋根板部材（１２）の一方端部辺側に位置する前記端部凹条部材（３１７）は、前記開口が前記上方指向端部辺（３１６）の下方に位置して該上方指向端部辺（３１６）が前記上方に向かうよう、前記屋根板部材（１２）の下面に前記開口の一方の側で固定され、前記開口の他方の側で隣り合う前記屋根板部材（１２）を支えると共に、前記屋根板部材（１２）の下面への固定に際しては、前記開口の一方の側から突出した突出片部（３１７ａ）を前記屋根板部材（１２）の下面に接合させて、前記突出片部（３１７ａ）により前記屋根板部材（１２）の下面に接合固定されていること
を特徴とする屋根板材（３１０）。
【請求項２】
請求項１記載の屋根板材であって、
前記端部凹条部材は、前記開口の他方の側を、隣り合う前記屋根板部材が有する前記下指向凹条部の屈曲基部の下面に接合させて、隣り合う前記屋根板部材を支える屋根板材。
【請求項３】
請求項２記載の屋根板材であって、
前記端部凹条部材は、前記開口の他方の側に、前記下指向凹条部の屈曲基部の下面に接合するよう突出した他方側突出片部を有する屋根板材。
【請求項４】
請求項１ないし請求項３いずれか記載の屋根板材であって、
前記上方指向端部辺は、その頂上部を前記隣合う屋根板部材が有する前記下指向凹条部の頂上部底面に接触させている屋根板材。
【請求項５】
請求項１ないし請求項４いずれか記載の屋根板材であって、
前記端部凹状部材は、前記屋根板部材下面からの前記固定部材の高さと略同じ高さで前記屋根板部材の下面側に位置する屋根板材。
【発明の詳細な説明】
【０００１】
【発明の属する技術分野】
本発明は、耐久性、断熱性、防音性に優れた屋根葺きの簡略化を低コストで実現可能とし、また、取り付け・取り外しを経た移設が可能な屋根板材に関する。
【０００２】
【従来の技術】
従来より瓦に代わる屋根板材として各種の技術が提案されている。その中でも特開２００１−１７３１６３号公報に開示される技術によれば、屋根板材として耐久性に優れた金属を利用した屋根板部材で屋根を縦葺きし、その葺き係合部からの雨水の進入等を効果的に防止していた。
【０００３】
【発明が解決しようとする課題】
上記公報で提案された従来の屋根板部材は、その両端部辺に断面略Ｊ字状の部材を回転対称となるようにして位置させて、端部辺とＪ字状部材の長辺部分が略直角をなすように、Ｊ字状部材を屋根板部材の両端部辺に固定している。こうしたＪ字状部材の固定は、その接合が略直角であり、また、屋根板部材の端部辺から当該部材の上下に他の部材（Ｊ字状部材）が延びている都合上、溶接手法を採ることが簡便である。
【０００４】
ところが、溶接箇所は、屋根板部材の端部辺とＪ字状部材の長辺部分とが略直角に接合した接合部位であるため、本願発明者は、こうした屋根板材の更なる改良を図るべく、構造が簡単でありながら雨水の侵入防止を可能とする屋根板材を開発した。
【０００５】
本発明は、上記した問題点を解決するためになされ、単純な形状でありながら、雨水の浸入を確実に防止可能な屋根板材を提供することで、製造の簡略化を図ることを目的とする。
【０００６】
【課題を解決するための手段およびその作用効果】
上記した課題を解決するため、本発明の屋根板材は、
屋根外観をなすよう屋根組に縦葺き固定される屋根板材において、
長尺状で所定幅の板材により形成され、屋根の葺き外観を呈する屋根板部材と、
前記屋根板部材に配設され、前記屋根組から前記屋根板部材を下支えすると共に、前記屋根組に前記屋根板部材を固定するための固定部材と、
屋根の屋根勾配に沿って前記屋根板部材の一方端部辺側に位置し、前記屋根板部材の側で上向きに開口した凹状の端部凹条部材とを備え、
前記屋根板部材は、前記一方端部辺を、長手方向に沿って屈曲形成して前記屋根組の側から上方に向かわせた上方指向端部辺とすると共に、他方の端部辺の側に、隣り合う前記屋根板部材が有する前記上方指向端部辺が前記屋根組の側から入り込むよう前記屋根組の側に下向きに開口した凹状の下指向凹条部を屈曲形成して有し、
前記屋根板部材の一方端部辺側に位置する前記端部凹条部材は、前記開口の一方の側である前記屋根板部材からの前記上方指向端部辺の屈曲形成の側に、前記屋根板部材の下面に接合するよう突出した突出片部を有し、前記上方指向端部辺が前記開口の上縁に位置して前記上方に向かうよう該突出片部により前記屋根板部材の下面に接合固定されており、前記開口の他方の側で、隣り合う前記屋根板部材を支えること
を特徴とする。
【０００７】
本発明の屋根板材は、屋根勾配に沿った屋根板部材の端部辺のうち、一方の端部辺の側において、この端部辺を屈曲形成した上方指向端部辺を、屋根板部材から上方に向かわせる。また、他方の端部辺においては、この端部辺を屈曲生成した下指向凹条部を、その凹状の開口が屋根組の側に向けて下向きになるよう開口させる。よって、本発明の屋根板材を縦葺きすると、隣り合う屋根板材において、上方指向端部辺は屋根組の側から隣の屋根板部材の下指向凹条部に入り込んでこの下指向凹条部で覆われ、上方指向端部辺と下指向凹条部は、こうした関係をもったまま、屋根勾配に沿って相対することになる。
【０００８】
その一方、屋根板部材の上方指向端部辺の側では、屋根板部材の側で上向きに開口した凹状の端部凹条部材が突出片部により屋根板部材の下面に接合固定されており、その開口の上縁に上方指向端部辺を上方に向かうよう位置させる。そして、この端部凹条部材は、開口の他方の側で、隣りの屋根板部材を支持する。この場合、この他方の側に設けた他方側突出片部を、隣りの屋根板部材が有する下指向凹条部の屈曲基部の下面に接合させて支持することが好ましい。これにより、隣りの屋根板材は、下指向凹条部の屈曲基部の下面等において支えられ、隣り合う屋根板材は、共に端部凹条部材の突出片部と開口の他方側部分（他方側突出片）で支えられる。この状態で、隣り合う屋根板材は下指向凹条部に端部凹条部材の開口の上縁の上方指向端部辺を入り込ませるので、下指向凹条部に対しては、端部凹条部材が開口を向かい合わせて位置することになる。
【０００９】
つまり、端部凹条部材は、その開口が上向きとなるような姿勢で下指向凹条部と向かい合い、この下指向凹条部は、その開口内部において、一方の屋根板部材における上方指向端部辺を上から覆う。よって、下指向凹条部の開口内部は、上方指向端部辺で区画される。そして、上記の姿勢を採る端部凹条部材は、下指向凹条部で覆われた上方指向端部辺の下方に、開口が上を向いた溝を屋根勾配に沿って形成する。しかも、この端部凹条部材は隣り合う屋根板部材を支えるので、この溝は、隣り合う屋根板部材の葺き接合箇所の下方において、雨水を低所へと屋根勾配に沿って導く樋の作用をなすことになる。
【００１０】
こうして隣り合う両屋根板材が接合された状態で、それぞれの屋根板材は、固定部材により屋根組に下支えされて屋根組に固定されることになる。そして、縦葺きした場合の隣り合う屋根板部材間では、上方指向端部辺が下指向凹条部で覆われた状態で共に屋根板部材から突出し、屋根勾配に倣って傾斜する。よって、下指向凹条部の開口内部に雨水が浸入しても、下指向凹条部の上方指向端部辺によりそれ以降の雨水浸入は防止され、その浸入雨水は上方指向端部辺で止め置かれる。しかも、下指向凹条部の上方指向端部辺は屋根の傾斜に倣って傾斜することから、上方指向端部辺で止め置かれた浸入雨水は、屋根勾配に沿って流れ落ちるので、より雨水浸入の防止効果は高まる。
【００１１】
仮に、下指向凹条部の開口の上方指向端部辺を乗り越えて雨水が浸入しても、その浸入雨水は、上方指向端部辺で形成され樋の作用をなす溝に入り込むことから、この溝により軒側に排出される。よって、屋根組への雨水の浸入を確実に防止することができる。しかも、隣り合う屋根板部材相互の係合に際しては、一方の屋根板部材の下指向凹条部への他方の屋根板部材の上方指向端部辺の入り込みを起こすのみであり、機械的に緊密な固定機構を有していない。このため、屋根板部材の大きさの変化、例えば経時変化や熱膨張変化などが発生しても、この係合箇所による形状変化の吸収が行われ、無用な応力が蓄積されることを防止することが出来る。また、施工後の屋根板材の回収も簡便となると共に、回収後の屋根板材をそのまま再利用できる。更には、屋根葺き施行現場での曲げ等の現場加工を必要とせず、より一層作業性が高まる。
【００１２】
こうした雨水浸入防止に優れた効果を奏する屋根板材は、屋根板部材の一方端部片側に上方指向端部辺と端部凹条部材を、他方端部側に下指向凹条部を有するに過ぎず、その形状が単純である。そして、上方指向端部辺と下指向凹条部は屋根板部材の両端部片の単純な曲げ加工で形成され、端部凹条部材は、屋根板材とは別部材とされ、突出片部を屋根板部材に接合固定することで、屋根板材は製造される。この場合の固定は、部材同士の重なり箇所、即ち、屋根板部材に接合した突出片部の固定で済ますことができるので、重なり部分の溶接、接着、リベット固定等の簡便な手法を採ることができる。この結果、本発明の屋根板材によれば、雨水浸入防止に優れた屋根板材の形状を単純化でき、その製造も簡便化できる。この場合、上記の突出辺部は、平板状であることが、部材同士の重なりを平板状部分とできるので、溶接等の固定作業がより容易となる。
【００１３】
なお、屋根板部材の所定幅は、屋根に使用する枚数を考えると、４５０ｍｍないし１２００ｍｍが好ましく、より好ましくは６００ｍｍから１０００ｍｍである。このような寸法であれば、取り扱いの上からも好ましい。また、上記のように浸入雨水の止め置き作用をなす上方指向端部辺の突出高さは、雨水の浸水をより確実に防止するという観点から５０ｍｍないし１５０ｍｍが好ましく、下指向凹条部は、この上方指向端部辺を覆うことができるよう突出していればよい。この場合、上方指向端部辺の頂上部が隣合う屋根板部材の下指向凹条部の頂上部底面に接触するようにすれば、下指向凹条部の開口内において、雨水が上方指向端部辺を乗り越え難くできるので、雨水浸入をより確実に防止でき好ましい。更に、上方指向端部辺の頂上部で下指向凹条部を下支えできるので、強度の点からも好ましい。
【００１４】
ところで、下指向凹条部と端部凹条部材を共に矩形状断面の凹形状とした場合には、その内寸幅（溝幅）は、下指向凹条部が約２５ｍｍから１００ｍｍ、端部凹条部材が約５０ｍｍから１２０ｍｍが好ましい。詳しくは、端部凹条部材の突部幅が下指向凹条部の突部幅よりも広くした上で上記幅とすればよい。また、端部凹条部材については、その形成する溝を樋として作用させる都合上、幅広とすることが好ましい。
【００１５】
また、屋根板部材は、固定部材を介して屋根組に対して下支えされて固定されるため、その固定部材の高さ分だけの空気層が屋根組における板材（例えば、野地板）と屋根板部材との間に形成される。従って、屋根板部材として耐久性に富む金属などを利用しても、この空気層が降雨による金属音に関しては防音層として、また環境変化に伴う屋根板部材の冷熱に関しては断熱層として作用し、優れた防音、断熱効果を発揮する。この固定部材により形成される空気層は、防音、断熱効果を有効に発揮させるために、５０ｍｍから１２０ｍｍが好適である。そして、固定部材により形成される空気層の厚みと上記した端部凹条部材の突出高さを同じとすれば、屋根板部材を、固定部材と端部凹条部材の両方で、屋根組に対して保持できるので好ましい。
【００１６】
なお、屋根板部材と端部凹条部材は、金属により形成されていることが加工性、耐久性および固定手法の観点から望ましく、特に鋼板、純度の高い鉄、チタン、ステンレス、アルミなどが耐久性の面からより好ましい。また、固定手法としては、重なり部分のスポット溶接、超音波溶接、隅肉溶接、シームレス溶接等の溶接手法が、固定の信頼性の上から好ましい。この場合、屋根板部材と端部凹条部材の板厚としては、いわゆるそりや不用意な変形を回避する上から、或いは重量の観点から、２ｍｍ〜６ｍｍであればよい。
【００１７】
また、固定部材は、屋根板部材への固定の観点からは、屋根板部材と同種の金属であることが好ましい。他方、この固定部材を、屋根板部材に比べて断熱及び／または防震効果に優れた材質として構成することもでき、この場合には、屋根板材の断熱、防音効果を一層顕著なものとすることができる。従って、固定部材の材質としては、ガラス短繊維やピッチ系の炭素繊維をフィラーとした複合材（例えば、ガラス繊維含有プラスチック、炭素繊維含有プラスチック）とすることもできる。
【００１８】
また、端部凹条部材は、その形成する凹状の溝の断面積が下指向凹条部の形成する凹状の溝の断面積より広くできるので、下指向凹条部の内部において上方指向端部辺を乗り越えて浸入した雨水を、この溝にてより確実に軒側に排出でき、防水性をより確実なものとできる。
【００１９】
【発明の実施の形態】
以上説明した本発明の構成及び作用を一層明らかにするために、以下本発明の屋根について、その実施の形態を説明する。図１は実施例の屋根１００の全体構成を概略的に説明するための説明図である。まずこの図１を用いて、全体構成を説明する。
【００２０】
図示するように、本実施例の屋根１００は、切妻式の屋根組ＹＨを備え、この屋根組ＹＨの棟両側に所定の屋根勾配で左右の屋根葺材１１０Ｌ、１１０Ｒを取り付け、屋根両側の屋根葺材１１０Ｌ、１１０Ｒを棟において棟包み１２０で覆って構成される。屋根葺材１１０Ｌ、１１０Ｒは、屋根組ＹＨにおける棟木ＭＢから軒げたＮＢにかけて屋根を葺き、屋根外観をなす。棟包み１２０は、屋根葺材１１０Ｌ、１１０Ｒを屋根幅に亘って覆い、屋根の棟外観をなす。屋根組ＹＨは、棟木ＭＢから軒げたＮＢに亘って垂木Ｎを掛け渡し、棟木ＭＢ並びに垂木Ｎを、もや、小屋ばり、小屋づか、妻げた等を用いて、柱Ｈで支持する。この図１では、垂木Ｎを間引いて描いているが、図２以降に示すように、屋根組ＹＨの屋根部分はこの垂木Ｎを隙間なく並べて形成されている。なお、垂木Ｎを図示するように間引いて設置し、その上面に野地板を敷き詰めた屋根組に適用することもできる。以下、屋根葺材等について詳細に説明する。
【００２１】
図２は屋根葺材１１０Ｌを複数の屋根板材３１０で構成し、この屋根板材３１０により屋根を縦葺きする様子を説明する説明図、図３はこの屋根板材３１０の概略斜視図、図４は屋根板材３１０の要部を平面視並びに正面視して説明するための説明図、図５はこの屋根板材３１０が連結されている状態を示す概略斜視図、図６は屋根の妻側に配設する屋根板材３１０Ａの概略斜視図である。屋根葺材１１０Ｒは、屋根葺材１１０Ｌと同一であり、その葺き側が異なるに過ぎない。
【００２２】
これら図面に示すように、屋根板材３１０は、長尺状で所定幅の板材により形成され（板厚約５ｍｍ）、屋根の葺き外観を呈する金属製（例えば、チタン製）の屋根板部材１２と、屋根板部材１２の両長辺側に位置する左右の接合部材３１４Ｒ、３１４Ｌと、屋根板部材１２の所定幅の中央部から突設され、垂木Ｎに固定される固定部材１６と、から構成されている。
【００２３】
図示するように、左側の接合部材３１４Ｌは、屋根板部材１２の左端を、曲げ加工により屋根組ＹＨ（垂木Ｎ）の側に下向きに開口した凹状の下指向凹条部として形成されており、外側端部には、平板部３１５を有する。この平板部３１５は、隣の屋根板部材１２の上面に長辺方向に沿って重なるようにされている。つまり、接合部材３１４Ｌの外側端部の曲げの際にはその板厚分が考慮され、上記の平板部３１５が屋根板部材１２と重なったときに、両隣の屋根板部材１２が略同じ高さ位置となるようにされている。接合部材３１４Ｌは、屋根板部材１２の長手方向に沿って曲げ形成されているものの、棟側（図における上方側）の一部領域において切り欠かれた切欠部３１４Ｌａとされている。この切欠部３１４Ｌａの切欠範囲は、後述する棟包み１２０により覆われ範囲より狭くされている。なお、上記した平板部３１５は省略することもでき、その場合は、接合部材３１４Ｌの外側端部先端が隣の屋根板部材１２に当接するようにすればよい。
【００２４】
右側の接合部材３１４Ｒは、隣の屋根板材３１０が有する接合部材３１４Ｌ（下指向凹条部）に入り込むよう上方に突出した上方指向端部３１６と、屋根板部材１２の側に上向きに開口した凹状の端部凹条部材３１７とを備える。この上方指向端部３１６と端部凹条部材３１７は、共に屋根板部材１２の長手方向に沿ったものとされている。
【００２５】
上方指向端部３１６は、屋根板部材１２の図における右端側片の屈曲形成を経て形成され、その上端に、接合部材３１４Ｌの側に屈曲した屈曲先端３１６ａを有する。この場合、上方指向端部３１６は、屈曲先端３１６ａ先端までの突出高さＨ５（即ち、屋根板部材１２上面から屈曲先端３１６ａ先端までの高さＨ５）が屋根板部材１２上面から接合部材３１４Ｌの上端下面までの高さＨ６と略一致するよう板厚分を考慮して屈曲形成されている。
【００２６】
端部凹条部材３１７は、屋根板部材１２と同質の金属（本実施例では、チタン）の板材（板厚約５ｍｍ）から曲げ形成され、その開口両側に、外向きに突出した平板状の板材支持部３１７ａ、３１７ｂを長手方向に沿って有する。このうち、一方の板材支持部３１７ａは、上方指向端部３１６が端部凹条部材３１７の開口部略中央に位置するようにして、屋根板部材１２の下面に溶接固定されている。この際の溶接には、雨水対策の観点から、シームレス溶接手法を採った。他方の板材支持部３１７ｂは、隣の屋根板部材１２が有する接合部材３１４Ｌ（下指向凹条部）の屈曲基部の下面に接合するようにされている。従って、端部凹条部材３１７は、上記の板材支持部３１７ｂが隣の屋根板部材１２に重なってこれを支持すると、両隣の屋根板部材１２を略同じ高さとする。
【００２７】
固定部材１６は、略正方形状の中空の柱状体から形成され、垂木Ｎに屋根勾配に沿って配設される。この固定部材１６は、その外形寸法が接合部材３１４Ｒが有する端部凹条部材３１７の高さＨ７（即ち、屋根板部材１２下面から端部凹条部材３１７の下端外面までの高さＨ７）とほぼ等しくされている。このため、固定部材１６は、左右の接合部材３１４Ｒの端部凹条部材３１７と協同して、屋根板部材１２を垂木Ｎから離間して下支えする。なお、この固定部材１６は、屋根板材固定のための構成を有するが、それについては後述する。
【００２８】
この様な形状の屋根板材３１０の幅Ｘは、例えば延べ板鋼板の成形幅と等しくされており、長さＹは施工する屋根の長さに合わせて製造、加工され、施工現場に搬入される。また、接合部材３１４Ｒの端部凹条部材３１７が形成する溝深さは、屋根板材３１０の幅Ｘに対して短寸であることが好ましい。ここで、具体的数字を説明すると、本実施例ではＸが約９００ｍｍ、Ｙが約４０００ｍｍ、接合部材３１４Ｌの突出高さＨ６が約５０ｍｍ、接合部材３１４Ｒの側における溝深さが約１００ｍｍである。また、接合部材３１４Ｒにおける上方指向端部３１６の突出高さＨ５は約５０ｍｍとされており、接合部材３１４Ｌに上方指向端部３１６が入り込んだ状態で、接合部材３１４Ｌの凸部下面に上方指向端部３１６の屈曲先端３１６ａ先端が接触するようにできる。また、接合部材３１４Ｌの幅は内寸で約８０ｍｍとされ、端部凹条部材３１７の幅は内寸で約８０ｍｍとされている。つまり、端部凹条部材３１７は、その幅・高さ寸法とも接合部材３１４Ｌより大きくされており、開口面積においても接合部材３１４Ｌより広くされている。
【００２９】
本実施例の屋根板部材１２と左右の接合部材３１４Ｒ、３１４Ｌ並びに固定部材１６は、軽量でありながら耐久性に優れた金属であるチタンによりそれぞれ構成されており、端部凹条部材３１７と固定部材１６はシームレス溶接により強固に連結されている。左右の接合部材３１４Ｒ、３１４Ｌは、金型を用いて曲げ加工機により曲げ加工される。なお、固定部材１６は、屋根板部材１２と同一長さのものとするほか、屋根板部材１２の長さ方向に所定間隔、例えば約２０００ｍｍ間隔で接着等の適宜な工法により接合したものとすることもできる。もっとも、固定部材１６における一辺をなす基部分を屋根板部材１２と同じ金属とすれば、固定部材１６の固定に溶接等の簡便で強固な固定手法を採ることができるので、他の辺については、カーボンファイバやグラスファイバ等の短繊維材をフィラーとした複合材とすることもできる。このような複合材とするに当たっては、金属辺部分を金型内にセットして樹脂成型するインサート成型等の成型手法を用いればよい。
【００３０】
この他、屋根板材３１０は、屋根板部材１２の棟側上面に、突出板３４１を有する。この突出板３４１は、接合部材３１４Ｌの立ち上がり板部分から上方指向端部３１６の間に亘って設置され、上方指向端部３１６や接合部材３１４Ｌより低く突出するようにされている。この突出板３４１は、屋根板部材１２の棟側上面にシームレス溶接されており、その接合・固定箇所で、図示しないＬ字形鋼等で補強されている。
【００３１】
突出板３４１は、その上端に屋根板部材１２とほぼ平行となる屈曲平板部３４２を備える。なお、接合部材３１４Ｌには既述した切欠３１４Ｌａが形成されているので、屋根板材３１０を屋根葺きのために並べて縦葺きした際に、突出板３４１が接合部材３１４Ｌに干渉することはない。
【００３２】
なお、屋根葺材１１０Ｒ、１１０Ｌの葺き完了状態では、図４（ｂ）に示すように、接合部材３１４Ｌと端部凹条部材３１７の内部空間と、屋根板部材１２下面と垂木Ｎ上面の間の間隙（空間）とについては、棟側または軒側或いはこの両者の側で、図示しない遮蔽板にて覆うことが好ましい。こうすれば、これら空間へのネズミ等の小動物や昆虫の浸入を防止する。また、この遮蔽板をパンチングメタルやネット材とすれば、これら空間における通気と小動物等の浸入回避を両立できる。
【００３３】
このように構成された屋根板材３１０は、図５に示すように、両隣の屋根板材３１０における一方の屋根板材３１０が有する接合部材３１４Ｌの内部に、上方指向端部３１６を下から入り込ませた状態で連結し、垂木Ｎに載置され、屋根を縦葺きする。こうして葺かれた屋根１００では、接合部材３１４Ｌは、屋根板材３１０における平板状の屋根板部材１２から屋根組ＹＨの側に下向きに開口した凹状の下指向凹条部となり、棟の側から屋根勾配に沿って軒げたＮＢから突出する。また、図示するように、この接合部材３１４Ｌは、屋根幅方向に沿って多列にピッチＸｐ（本実施例では約１０００ｍｍ）で並ぶことになる。
【００３４】
本実施例は、上記したように複数の屋根板材３１０で屋根を縦葺きするものであるが、屋根の妻側では、その妻部における葺きの見栄えを高めるため、屋根板材３１０Ａを有する。図２および図６に示すように、この屋根板材３１０Ａは、屋根葺材１１０Ｌの右側に当たる妻部に配設されるものであり、平板部３１５を有する接合部材３１４Ｌと固定部材１６に加え、妻側の垂木Ｎに載置される長方形状の中空の補助固定部材１７を有する。また、垂木Ｎを妻側端部から覆う遮蔽部材１８と垂木Ｎを抱え込むようにする遮蔽下端部材１９を有すると共に、上面には、接合部材３１４Ｌと同じ高さで上方に突出した端部凸条体１５を有する。屋根の左側妻部では、この屋根板材３１０Ａをミラー反転させた構成の屋根板材が用いられる。
【００３５】
この屋根板材３１０Ａは、図２に示すように、既述した屋根板材３１０が定寸幅Ｘのものであるのに対し、不定寸法の幅Ｘ０とされている。つまり、屋根の妻間の屋根幅ＹＸは種々多様であるので、屋根板材３１０Ａの幅Ｘ０は、この屋根幅ＹＸと屋根板材３１０の幅Ｘから、葺き対象となる屋根ごとに個別に定められる。
【００３６】
屋根葺材１１０Ｒは、上記した屋根板材３１０、１０Ａを用い、屋根葺材１１０Ｌとは屋根の葺き側が異なるだけであり、構成において屋根葺材１１０Ｌと異なるものではない。
【００３７】
次に、棟包み１２０について説明する。図７は棟包み１２０を複数の棟部材２００と妻側の棟部材２００Ａで構成し、これら棟部材により棟包みを形成する様子を説明する説明図、図８はこの棟部材２００を図７の８−８線に沿って断面視すると共にその８ａ−８ａ線、８ｂ−８ｂ線に沿った断面を示す説明図、図９は棟部材２００と屋根板材３１０の関係を説明するための説明図、図１０は棟部材２００の軒側端部に設置する遮蔽板２１０を説明する説明図、図１１は棟包み１２０と屋根板材３１０の固定の様子並びに棟包み１２０と屋根板材３１０の位置関係を説明する説明図、図１２は図１１における１２−１２線方向からの概略断面図である。
【００３８】
棟包み１２０は、既述したように屋根の棟外観を形成するものである。よって、この棟包み１２０を構成する棟部材２００、２００Ａにあっては、屋根勾配に適合した角度で接合固定された左右の棟斜面板部２０１を備える。妻側の棟部材２００Ａは、この棟斜面板部２０１の一端側（つまり、屋根における妻側）を妻側遮蔽板２０２で塞いでいる。本実施例では、これら棟部材２００、２００Ａについても、耐久性等を考慮してチタン製鋼板を用い、その板厚については形状保持・強度確保の観点から屋根板材３１０より厚めの約５〜８ｍｍとした。
【００３９】
棟斜面板部２０１は、図２に示す屋根板材３１０と同様にして、一端側に上方指向端部２０３と端部凹条部材２０４からなる接合部材２０５Ｒを有し、他端側に上方指向端部２０３が下から入り込んでこれを覆う下指向凹条部としての接合部材２０５Ｌを有する。上方指向端部２０３、端部凹条部材２０４並びに接合部材２０５Ｌは、これら相互の位置関係や形状等について、屋根板材３１０で説明した上方指向端部３１６、端部凹条部材３１７、接合部材３１４Ｌと同様にされており、上方指向端部２０３はその先端を屈曲した屈曲先端２０３ａとしている点についても同様である。よって、この棟部材２００を、上方指向端部２０３が隣の棟部材２００の接合部材２０５Ｌに下方から入り込むよう組み付ければ、接合部材２０５Ｌと対向する端部凹条部材２０４は、屋根板材３１０における端部凹条部材３１７と同様に、雨水を屋根勾配に沿って導く樋として機能する溝となる。
【００４０】
この場合、棟斜面板部２０１は屋根勾配に適合した角度で左右に延びていることから、上方指向端部２０３とこれを覆う接合部材２０５Ｌにあっては、図８や図１１に示すように、屋根勾配に適合した角度で左右に延びて棟頂上で接合固定されている。端部凹条部材２０４については、屋根勾配に適合した角度で左右に延びて棟頂上で接合固定したものとしているが、軒側から所定長さのものとすることもできる。
【００４１】
こうした棟部材２００は、次のように製造できる。一つの手法は、棟部材２００を屋根の一方側に当たる部分と他方側に当たる部分に分けて製造する。そして、両部分を、屋根板材３１０と同様の曲げ加工・溶接固定を経て別々に製造した後に棟頂上で接合・溶接して、棟部材２００を製造する。別の手法は、上方指向端部２０３と接合部材２０５Ｌを両端に曲げ加工した平板の状態の棟斜面板部２０１とし、これを屋根勾配に適した角度となるように曲げ加工する。端部凹条部材２０４については、屋根左右の部分に分けて製造し、上記の曲げ加工済みの棟斜面板部２０１の裏面に溶接する。この場合、平板状の棟斜面板部２０１の裏面に真っ直ぐの端部凹条部材２０４を溶接して一体化させ、これを屋根勾配に適した角度となるように曲げ加工するようにすることもできる。
【００４２】
この棟部材２００は、隣り合う棟部材同士の接合部材２０５Ｌの間のピッチＸｐｍ（図８参照）を、隣り合う屋根板材同士の接合部材３１４Ｌの間のピッチＸｐ（図５参照）としている。よって、図９に示すように、それぞれの棟部材２００は、屋根板材３１０における接合部材３１４Ｌの上面に、端部凹条部材２０４で下支えされることになる。
【００４３】
このように棟部材２００が支えられると、図９に斜線で示す棟部材２００の下方領域が開空間となる。よって、これを塞ぐべく、それぞれの棟部材２００は、図１０に示すように、軒側端面に遮蔽板２１０を有する。この遮蔽板２１０は、棟部材２００における接合部材２０５Ｌと端部凹条部材２０４および棟斜面板部２０１の端面にシームレス溶接にて接合固定されており、その下端を屋根板部材１２の上面に当接もしくは近接させ、左右端を接合部材３１４Ｌの立ち上がり板部分の側面に当接もしくは近接させる。よって、この遮蔽板２１０により、上記の下方領域からの小動物等や雨水の浸入を回避できる。また、遮蔽板２１０は、端部凹条部材２０４が上記したように樋としての機能を果たすことから、この端部凹条部材２０４からの雨水の流れ落ちが起きるよう、端部凹条部材２０４の開口領域に当たる部分に、多孔列２１２を有する。この場合、向かい合う接合部材３１４Ｌの間に、図示するように小孔を多列にパンチングした多孔列２１３することもできる。こうすれば、上記の閉空間の通気を図ることもできる。なお、遮蔽板２１０を向かい合う端部凹条部材２０４の間の部分に該当するものとし、向かい合う接合部材３１４Ｌの間の部分に該当するものについては別部材として、棟斜面板部２０１の下面棟側に設置するようにすることもできる。
【００４４】
また、それぞれの棟部材２００は、その頂上左右の棟斜面板部２０１の裏面に、左右のボルト保持部材２２０を備え、当該保持部材で、垂木Ｎを貫通できる長さの長尺ボルト２２２を保持する。ボルト保持部材２２０は、上端部の上下の接合材２２１を介してシームレス溶接等の手法で棟斜面板部２０１に固定されている。
【００４５】
次に、上記した屋根板材３１０と棟包み１２０の固定の様子について説明する。
図２、図３或いは図５に示すように、屋根板材３１０は、固定部材１６が垂木Ｎと重なるようにして、屋根勾配に沿って屋根組ＹＨに配置される。この固定部材１６は、図１１および図１２に示すように、垂木Ｎ上面に接触する底面部材１６ａに、垂木Ｎから突出したボルト材２０のシャフト部２１が入り込む固定用抜き穴３０を有する。この固定用抜き穴３０は、固定部材１６に所定ピッチで形成されており、このピッチに適合させてボルト材２０が垂木Ｎを貫通して配置される。また、図１２に示すように、固定用抜き穴３０は、シャフト部２１の直径と略同一とされた幅の小径抜き穴部３１と、ボルト材２０のボルトヘッドはもとより球面ワッシャ２３の直径より幅広の幅広形状部３２とを、小径抜き穴部３１が屋根勾配に沿って上方側に位置するよう、接合させた穴形状とされている。この場合、幅広形状部３２から小径抜き穴部３１にかけては、徐々に幅が狭くなるような穴形状とされている。そして、小径抜き穴部３１は、シャフト部２１の直径と略同一の幅を有することから、当該穴部にシャフト部２１が入り込むことで、シャフト部２１、延いてはボルト材２０に対する位置決め部として機能する。
【００４６】
ボルト材２０は、屋根板材３１０の葺き前に垂木Ｎに次のようにして予め取り付けられる。まず、ボルト材２０を、割ワッシャ２２と球面ワッシャ２３をボルトヘッド側に位置させた状態で、垂木Ｎの貫通孔２４に外側から差し込む。この貫通孔２４は、金属製のパイプを垂木Ｎに打ち込むことで形成するようにすれば、垂木Ｎの割れや経たりを回避できることから好ましい。
【００４７】
次いで、シャフト部２１の雄ネジ部分に、垂木裏側から平ワッシャ２５を介在させてナット２６を螺合する。このナット螺合に際しては、底面部材１６ａの厚みｔを越える距離だけボルト材２０が上下できるようにされる。
【００４８】
こうしてボルト材２０の側の準備が完了すると、固定用抜き穴３０の幅広形状部３２が垂木Ｎから突出したボルト材２０のボルトヘッドと重なるように、屋根板材３１０を垂木Ｎの上方に位置させる。この状態で、屋根板材３１０を降ろして垂木Ｎに載置すると、ボルト材２０は割ワッシャ２２や球面ワッシャ２３と共に幅広形状部３２に入り込むので、その後に、図１２に示した矢印ＹＡで示すように屋根板材３１０を屋根勾配に沿って下方にずらす。こうすれば、幅広形状部３２に入り込んでいたボルト材２０のシャフト部２１は固定用抜き穴３０の小径抜き穴部３１の側に入り込み、この小径抜き穴部３１で位置決めされる。この屋根板材のずらしの際に、球面ワッシャ２３はその下端球面部を小径抜き穴部３１の周囲壁面並びに底面部材１６ａの上面に接触させるが、ボルト材２０の上記した上下動により、シャフト部２１は支障なく小径抜き穴部３１に入り込む。よって、屋根板部材１２並びに屋根板材３１０にあっても垂木Ｎに対して位置決めされる。なお、屋根板材３１０Ａの補助固定部材１７についても、固定部材１６と同様に固定用抜き穴３０を形成するようにすることもできる。
【００４９】
その後は、垂木裏面側から、ナット２６を更に螺合してボルト材２０を垂木側に引き寄せ、ボルト材２０により固定部材１６、延いては屋根板材３１０を固定する。これにより、屋根斜面の葺きが完了して、屋根組ＹＨには屋根葺材１１０Ｌ、１１０Ｒが固定されることになる。こうして葺かれた屋根板材３１０のそれぞれに強風により浮き上げ力が作用しても、ボルト材２０による固定により、各屋根板材３１０の浮き上がりを確実に回避できる。
【００５０】
この屋根斜面の葺き完了後には、シャフト部２１のネジ部先端に、雌ネジ穴とこれと同心の有底孔を有する木製袋ナット２７を螺合する。
なお、屋根板材３１０は、順次葺かれていき、隣接している屋根板材３１０の相互間は、接合部材３１４Ｒ、３１４Ｌで上記したように接合される。よって、この接合の際には、ネジや溶接などの機械的な結合が不要である。
【００５１】
屋根両側における上記した屋根板材３１０の葺きに続いては、棟包み１２０を組み付ける。即ち、一方の妻側から、棟部材２００Ａを固定し、その後は複数の棟部材２００と他方の妻側の棟部材２００Ａを固定する。それぞれの棟部材２００の固定は、屋根葺材１１０Ｌ、１１０Ｒの固定済みの屋根組ＹＨの棟まで棟部材２００を持ち上げ、その棟部材２００で、屋根葺材１１０Ｌ、１１０Ｒの棟側端部範囲と棟木ＭＢを覆うようにする。この際、図９に示すように、屋根板材３１０の接合部材３１４Ｌに棟部材２００の端部凹条部材２０４が乗るよう、また、図１０に示すように、遮蔽板２１０が隣り合う接合部材３１４Ｌの間に位置するようにする。この状態で、棟部材２００を棟木ＭＢの側に降ろす。棟部材２００をこのような上記位置を採るようにすることで、左右の長尺ボルト２２２は、棟木ＭＢの両側の貫通孔２３０に入り込むようにされている。よって、このボルトを、垂木Ｎ下面に傾斜駒２３１を介在させた状態でナット２６で締め付け、棟部材２００を引っ張り固定する。それぞれの棟部材２００について上記組み付けを繰り返すことで、屋根葺きが完了する。なお、この貫通孔２３０についても、金属製のパイプを垂木Ｎに打ち込むことで形成するようにすれば、垂木Ｎの割れや経たりを回避できることから好ましい。
【００５２】
葺き完了後では、図１１に示すように、棟包み１２０を構成するそれぞれの棟部材２００の遮蔽板２１０は、隣り合う接合部材３１４Ｌとの間に入り込む。一方、突出板３４１は、棟側において、屋根板部材１２上面から突出する。これにより、棟部材２００の下面と屋根葺材１１０Ｌ、１１０Ｒ上面との間隙では、棟包み１２０で覆われた範囲において、軒げた側から棟側にかけて、棟包み１２０の遮蔽板２１０と突出板３４１が屋根勾配に沿ってこの順に並んで対向することになる。
【００５３】
こうして葺かれた棟包み１２０を構成する棟部材２００や屋根葺材１１０Ｌ、１１０Ｒ（詳しくは屋根板材３１０のそれぞれ）は、その取り外し、回収、移設（リサイクル）に際しては、上記した葺き作業の逆の作業を行えばよい。つまり、まず、総てのナット２６を取り外し、棟包み１２０のそれぞれの棟部材２００を持ち上げて屋根組ＹＨから取り外す。次いで、それぞれの屋根板材３１０についてもナット２６の弛め作業を行い、その後、屋根板材３１０を矢印ＹＡの逆方向、即ち屋根勾配に沿って上方にずらす。こうすると、ボルト材２０と球面ワッシャ２３は幅広形状部３２に位置するので、この状態で屋根板材３１０を垂木Ｎから持ち上げればよい。
【００５４】
従って、以上説明した本実施例の屋根１００は、その葺き作業に関連して次の利点を有する。
（１）屋根板材３１０を垂木Ｎに載置してずらせばよいことから、簡便な施工により屋根葺きを行うことができ、屋根葺きの施工作業と移設・取り外し作業を簡便化することができる。しかも、隣接する屋根板材３１０の接合にネジやなどの機械的な結合が不要であることも相まって、屋根葺きの施工作業等をより一層簡便なものとできる。
【００５５】
（２）ボルト材２０による屋根板材３１０の固定に際し、球面ワッシャ２３を用いたので、屋根勾配に沿って屋根板材３１０をずらす際に、この球面ワッシャ２３を固定用抜き穴３０の穴周壁に引っかかりにくくする。よって、屋根板材３１０を支障無くずらすことができ、葺き作業が容易となる。
（３）棟包み１２０については、これを構成する棟部材２００、２００Ａを一方の妻側から順次、棟に載置して長尺ボルト２２２とナット２６で締め付け固定すればよい。よって、ボルト・ナットの締め付け・解除により、棟包み１２０の固定作業ばかりかその取り外し作業も簡略化することができる。特に、棟木ＭＢ両側の長尺ボルト２２２により棟包み１２０を棟木ＭＢの側に引き寄せ固定するので、垂木Ｎ下面側から棟包み１２０の固定・取り外し作業を行える。このため、棟包み１２０の固定・取り外し作業をより一層簡略化できる。また、棟木ＭＢにはボルト貫通孔等を空けないので、屋根組としての強度低下を来すことがなく好ましい。
【００５６】
ここで、本実施例の屋根１００が発揮する雨仕舞いについて説明する。
屋根に降り注いだ雨は、棟包み１２０の棟斜面板部２０１に沿って屋根左右に流れ落ち、棟包み１２０で覆われていない領域の屋根葺材１１０Ｌ、１１０Ｒに達する。この雨は、屋根葺材１１０Ｌ、１１０Ｒに直接降り注いだ雨と一緒に屋根勾配に沿って屋根板部材１２の上面を軒げた方向に流れ落ちる。強風を伴わずにほぼ上方から降り注いだ雨は、屋根勾配に逆らって屋根板部材１２上面を棟側に流れることはない。よって、棟包み１２０から雨を屋根葺材１１０Ｌ、１１０Ｒに流すことで、こうした雨に対しては棟において当然に好適な雨仕舞いを発揮する。
【００５７】
一方、台風等による強風を伴って降る雨（強風雨）は、屋根勾配に逆らって屋根板部材１２上面を棟側に流れようとすることがある。この雨は、棟包み１２０の遮蔽板２１０によりまず遮られ、棟側へは、遮蔽板２１０下端の間隙或いは上記した多孔列２１３を通って浸入するに過ぎず、この浸入雨水の量は僅かしかない。ところで、こうして浸入雨水は、屋根勾配に沿った重力を受けることから、自ずから屋根勾配に沿って流れ落ちようとする。このため、遮蔽板２１０下端の間隙や多孔列２１３を通った浸入雨水が遮蔽板２１０より上流側で貯め置かれるような事態は起きがたい。
【００５８】
風が極端に強い場合は、屋根勾配に逆らって流れるよう雨水に風が及ぼす力も大きくなるので、雨水は、遮蔽板２１０下端の間隙や多孔列２１３を通過後も、更に棟側に向けて流れる可能性もある。しかし、こうして遮蔽板２１０を越えて棟側に流れようとする浸入雨水の量は、遮蔽板２１０による遮蔽並びに上記の重力の作用により減少する。そして、遮蔽板２１０を越えた浸入雨水は、この遮蔽板２１０よりも上方で屋根板部材１２上面から突出した突出板３４１で改めて遮られる。
【００５９】
遮蔽板２１０を越えた浸入雨水が屋根板部材１２上面の突出板３４１を越えて更に棟側に向けて流れることは、現実的に起き得ない。つまり、突出板３４１を浸入雨水が越えるには、突出板３４１の先端を乗り越えるに足りる嵩で、突出板３４１の下方に雨水が貯まり、更にこの雨水貯まりに浸入雨水が流れ込む必要がある。しかし、浸入雨水の量は、既述したように、遮蔽板２１０を越えて棟側に流れようとする時点で減少し、重力の作用もあることから、突出板３４１の下方の雨水貯まりの雨水嵩は少ない。しかも、図１１に示すように、遮蔽板２１０と突出板３４１とを離間させるほど、突出板３４１の下方において、突出板３４１の先端を乗り越えるに足りる嵩で雨水が貯まることは起きがたくなる。このため、屋根勾配に沿って下方の遮蔽板２１０を越えた浸入雨水が、遮蔽板２１０より上方の突出板３４１の先端を越えて更に棟側に向けて流れることは、一層起きがたい。
【００６０】
加えて、接合部材３１４Ｌの棟側に切欠３１４Ｌａを設けて、突出板３４１を向かい合う接合部材３１４Ｌと上方指向端部３１６の間において隙間無く設置した。つまり、突出板３４１の両端に隙間を残さない。よって、屋根勾配に逆らって突出板３４１にまで雨水が達したとしても、この雨水を突出板３４１の両端から更に上方に向けて漏れ出さないので、棟付近の垂木Ｎが雨水で濡れてしまうような事態を招くことがない。
【００６１】
なお、突出板３４１の下流側に、この突出板と平行な突出板を屋根板部材１２の上面に新設させれば、この新設突出板でも雨水遮蔽をできることから、この新設突出板を越えて雨水が棟側に流れ込み、更にその雨水が突出板３４１を越えることは皆無に等しい。しかも、棟包み１２０下面の遮蔽板２１０は、隣り合う接合部材３１４Ｌ間の凹部に合致して入り込んで、この凹部を効果的に塞ぐ。よって、このことからも、上記した浸入雨水の軒側への流れはより一層起きにくくできるので、強風を伴って多量の雨が降った場合でも、棟においては、この雨に対して好適な雨仕舞いを確実に確保できる。
【００６２】
また、棟包み１２０から屋根葺材１１０Ｌ、１１０Ｒに流れ落ちた雨や、屋根葺材１１０Ｌ、１１０Ｒに直接降り注いだ雨にあっても、次のようにして好適な雨仕舞いを発揮する。
【００６３】
図２並びに図５に示すように、左右の屋根板材３１０が、上方指向端部３１６を接合部材３１４Ｌに入り込ませた状態で、それぞれの接合部材３１４Ｒ、３１４Ｌにて相互に係合しているとき、相互の接合部材３１４Ｒ、１４Ｌにおいて、これらは機械的に結合されてはおらず、僅かな間隙が生じている。詳しくは、平板部３１５下面と屋根板部材１２上面の間には、僅かな隙間が生じている。しかし、この間隙を通過してそれ以降も雨水が内部に浸入することは皆無に等しく、屋根板材３１０の下方に位置する垂木Ｎの側への防水はほぼ完全に達成される。すなわち、接合部材３１４Ｒ、１４Ｌの間隙から垂木Ｎにまで雨水が浸入するためには、接合部材３１４Ｌに入り込んだ上方指向端部３１６を越えて雨水が上って行かねばならず、不可能である。
【００６４】
たとえ、雨量が多く屋根板材３１０の屋根板部材１２上に雨水の層が出来ようとも、屋根勾配の傾斜θで屋根板材３１０は傾いているためにこの雨水の層の雨水は常に軒側に流れ落ち、この雨水の層が上方指向端部３１６の突出高さを上回る事態が継続して発生する可能性はない。更に、何らかの原因でこの上方指向端部３１６の突出高さを越えて雨水が浸入したとしても、上方指向端部３１６の下方に上向きで凹状の端部凹条部材３１７が傾斜θの雨樋として作用するので、浸入雨水は上記の傾斜θで流れ落ちることとなる。しかも、端部凹条部材３１７が形成する傾斜θの雨樋の面積を上方指向端部３１６が入り込んだ接合部材３１４Ｌ（下指向凹条部）の面積より大きくしたので、雨水が上方指向端部３１６を越えても、端部凹条部材３１７は高い排水作用を発揮する雨樋として機能するので、垂木側にはより一層雨水は浸入しにくい。なお、このように上方指向端部３１６を乗り越えた雨水の浸入は、接合部材３１４Ｌの切欠３１４Ｌａの部分でも起き得るが、当該部分にあっても上方指向端部３１６の下方には端部凹条部材３１７があるので、浸入雨水は雨樋作用により軒側に流れ落ちる。
【００６５】
棟包み１２０にあっては、接合部材２０５Ｌとこれに入り込んだ上方指向端部２０３と、その下方で雨樋として機能する端部凹条部材２０４とを有する。よって、棟包み１２０においても、屋根板材３１０の場合と同じように、雨水浸入を回避できる。
【００６６】
また、図８や図１１に示すように、端部凹条部材２０４は、棟頂上から左右に山状に連続しているので、次のようにして雨水浸入を回避できる。
【００６７】
棟包み１２０の下面側に浸入する雨水としては、端部凹条部材２０４の凹形状部分と一致する箇所の多孔列２１２から棟上方向に向けて浸入する雨水と、接合部材２０５Ｌに入り込んだ上方指向端部２０３を乗り越えた雨水が想定される。しかし、上方指向端部２０３を乗り越えた雨水については、当該雨水が落ち込む端部凹条部材２０４が傾斜を持った雨樋として機能し、この雨水を軒側に流し落とす。また、多孔列２１２から棟上方向に向けて浸入する雨水にあっては、この浸入雨水自体が上記したような重力の作用を受け、雨樋機能を果たす端部凹条部材２０４が棟頂上左右に山状に連続していることから、やはり、軒側に流れ落ちる。よって、棟包み１２０からその下方の垂木Ｎや棟木ＭＢの側に落ちることはない。
【００６８】
更に、本実施例の屋根１００によれば、次の利点がある。
棟包み１２０と屋根板材３１０の繋ぎ部分では、遮蔽板２１０下端の間隙と多孔列２１２、２１３が、屋根板部材１２の上面に沿った空気の通気部として機能する。また、屋根板材３１０の側の突出板３４１にあっても、その吐出高さが接合部材３１４Ｌより低いことから、その上端に空気の通気部として機能する間隙を形成する。そして、本実施例では、屋根組ＹＨに対して屋根板材３１０を中空の固定部材１６で下支えして固定した。このため、固定部材１６の中空部の空気や屋根板部材１２下面領域の空気を、図１２に矢印ＡＴで示すように棟木ＭＢの側に通気させることができ、この空気を、上記した間隙や多孔列の各孔を経て大気中に通気可能とする。従って、屋根頂上の棟（即ち、棟包み１２０の下面領域）を介して、屋根板部材下面の空気の換気を図ることができ、住環境を改善できる。具体的に説明すると、日差しの強い夏季では、日中において太陽からの放射で屋根全体が暖まり固定部材１６の中空部内空気や、屋根葺材１１０Ｌ、１１０Ｒ並びに棟包み１２０の下面全域の空気が高い温度となる。これに伴い、天井裏の空気も高温となる。しかし、夜間になれば、この高温空気を図１２の矢印ＡＴで示すように排出換気できるので、屋根を通した建物内部の不用意な高温化を回避できる。しかも、この高温化回避に、電気エネルギを消費する換気扇やファンを必要としないので、省エネ効果を得ることもできる。
【００６９】
また、屋根板材３１０を下支えするに当たり、屋根板部材１２下面からの接合部材３１４Ｒにおける端部凹条部材３１７の突出高さを固定部材１６と同じとした。よって、接合部材３１４Ｒと固定部材１６の両者で屋根板材３１０を垂木Ｎに対して下支えできるので、この屋根板部材のそり等の変形を回避でき好ましい。
【００７０】
また、こうした雨仕舞いに優れた効果と再利用性の向上等の種々の利点を奏することのできる屋根１００を、両端辺部に単純な形状の接合部材３１４Ｌ（下指向凹条部）と上方指向端部３１６を有し、上方指向端部３１６下方に単純な凹形状の端部凹条部材３１７を溶接固定して有するに過ぎない屋根板材３１０から構成できる。しかも、板材支持部３１７ａの溶接に当たっては、その溶接箇所を屋根板部材１２と平板状の板材支持部３１７ａの重なり箇所とできることから、溶接作業が簡便となると共に、溶接による固定の信頼性を高めることができる。これらの結果、本実施例によれば、雨水浸入防止性能や再利用性に優れた屋根板材３１０を、形状を単純化を通して、容易且つ低コストで製造することができる。
【００７１】
以上、本発明の一実施形態を説明したが、本発明はこうした実施例に何等限定されるものではなく、本発明の要旨を逸脱しない範囲内において種々なる様態で実施し得ることは勿論である。
【００７２】
例えば、上記の実施例では、棟包み１２０の軒側に遮蔽板２１０を設けたが、これを省略することもできる。このように遮蔽板２１０を省略すれば、端部凹条部材２０４において雨水が屋根勾配に逆らって浸入し得るが、端部凹条部材２０４は既述したように山状に連続していることから、この浸入雨水を棟付近の垂木Ｎに垂れ落ちないようにできる。
【００７３】
また、このように端部凹条部材２０４を山状に連続したものとしたが、その棟側端部が屋根板材３１０の突出板３４１の下流位置（例えば、切欠３１４Ｌａの略中央位置）となるよう、棟包み１２０の軒側から所定長さのものとすることもできる。つまり、図８における８ｂ−８ｂ断面箇所では、端部凹条部材２０４を無くすようにすることもできる。こうした場合では、端部凹条部材２０４において屋根勾配に逆らって浸入した雨水は、端部凹条部材２０４の棟側端部から突出板３４１の下方に流れ落ちる。しかし、この流れ落ちた雨水のうち、屋根板部材１２に流れ落ちた雨水は、屋根板部材１２の上面に沿って軒側に流れ落ち、切欠３１４Ｌａから端部凹条部材３１７に流れ落ちた雨水は、この端部凹条部材３１７の雨樋作用により、やはり軒側に流れ落ちる。よって、端部凹条部材２０４を屋根左右で不連続のものとしても、雨水対処を好適に図ることができる。
【００７４】
また、端部凹条部材３１７で隣の屋根板部材１２を支持するに当たり、板材支持部３１７ｂを設けて接合部材３１４Ｌ（下指向凹条部）の屈曲基部の下面に接合するようにしたが、次のようにすることもできる。図１３は変形例の端部凹条部材３１７Ａ、３１７Ｂを説明するための説明図である。
【００７５】
この図１３（Ａ）に示すように、変形例の端部凹条部材３１７Ａは、開口の他方側に、接合部材３１４Ｌ（下指向凹条部）の頂上部底面に達してこれを支える板材支持部３１７Ａｂを有する。また、図１３（Ｂ）に示すように、変形例の端部凹条部材３１７Ｂは、開口の他方側に、接合部材３１４Ｌ（下指向凹条部）の屈曲基部下面に接合する開口顎部３１７Ｂｂと、接合部材３１４Ｌの内部に入り込み上方指向端部３１６と並ぶ突出片３１７Ｂｃとを有する。
【００７６】
こうした変形例であっても、上記した実施例と同様の雨仕舞いを図ることができると共に、いずれの端部凹条部材３１７Ａ、Ｂにあっても板材の曲げ加工で製造できるので、製造の簡略化等の効果も奏することができる。特に、図１３（Ｂ）に示す端部凹条部材３１７Ｂにあっては、この端部凹条部材の凹部開口部分に雨水が浸入しても、既述した重力の作用、樋としての機能等により、この浸入雨水が、接合部材３１４Ｌの内部に入り込んだ突出片３１７Ｂｃを越えるようなことは起き得ない。よって、この端部凹条部材３１７Ｂによれば、雨水が垂木等に垂れ落ちるような事態をより確実に回避できる。
【図面の簡単な説明】
【図１】実施例の屋根１００の全体構成を概略的に説明するための説明図である。
【図２】屋根葺材１１０Ｌを複数の屋根板材３１０で構成し、この屋根板材３１０により屋根を縦葺きする様子を説明する説明図である。
【図３】この屋根板材３１０の概略斜視図である。
【図４】屋根板材３１０の要部を平面視並びに正面視して説明するための説明図である。
【図５】この屋根板材３１０が連結されている状態を示す概略斜視図である。
【図６】屋根の妻側に配設する屋根板材３１０Ａの概略斜視図である。
【図７】棟包み１２０を複数の棟部材２００と妻側の棟部材２００Ａで構成し、これら棟部材により棟包みを形成する様子を説明する説明図である。
【図８】この棟部材２００を図７の８−８線に沿って断面視すると共にその８ａ−８ａ線、８ｂ−８ｂ線に沿った断面を示す説明図である。
【図９】棟部材２００と屋根板材３１０の関係を説明するための説明図である。
【図１０】棟部材２００の軒側端部に設置する遮蔽板２１０を説明する説明図である。
【図１１】棟包み１２０と屋根板材３１０の固定の様子並びに棟包み１２０と屋根板材３１０の位置関係を説明する説明図である。
【図１２】図１１における１２−１２線方向からの概略断面図である。
【図１３】変形例の端部凹条部材３１７Ａ、３１７Ｂを説明するための説明図である。
【符号の説明】
１２…屋根板部材
１５…端部凸条体
１６…固定部材
１６ａ…底面部材
１７…補助固定部材
１８…遮蔽部材
１９…遮蔽下端部材
２０…ボルト材
２１…シャフト部
２２…割ワッシャ
２３…球面ワッシャ
２４…貫通孔
２５…平ワッシャ
２６…ナット
２７…木製袋ナット
３０…固定用抜き穴
３１…小径抜き穴部
３２…幅広形状部
１００…屋根
１１０Ｌ…屋根葺材
１１０Ｒ…屋根葺材
１２０…棟包み
２００…棟部材
２００Ａ…棟部材
２０１…棟斜面板部
２０２…妻側遮蔽板
２０３…上方指向端部
２０３ａ…屈曲先端
２０４…端部凹条部材
２０５Ｌ…接合部材
２０５Ｒ…接合部材
２１０…遮蔽板
２１２…多孔列
２１３…多孔列
２２０…ボルト保持部材
２２１…接合材
２２２…長尺ボルト
２３０…貫通孔
２３１…傾斜駒
３１０…屋根板材
３１０Ａ…屋根板材
３１４Ｌ…接合部材
３１４Ｌａ…切欠
３１４Ｌａ…切欠部
３１４Ｒ…接合部材
３１５…平板部
３１６…上方指向端部
３１６ａ…屈曲先端
３１７…端部凹条部材
３１７ａ…板材支持部
３１７ｂ…板材支持部
３４１…突出板
３４２…屈曲平板部
ＭＢ…棟木
Ｎ…垂木
ＹＨ…屋根組
ＹＨ（垂木Ｎ）…屋根組
ＹＸ…屋根幅
【図１】
0004007785.tif 000002
【図２】
0004007785.tif 000003
【図３】
0004007785.tif 000004
【図４】
0004007785.tif 000005
【図５】
0004007785.tif 000006
【図６】
0004007785.tif 000007
【図７】
0004007785.tif 000008
【図８】
0004007785.tif 000009
【図９】
0004007785.tif 000010
【図１０】
0004007785.tif 000011
【図１１】
0004007785.tif 000012
【図１２】
0004007785.tif 000013
【図１３】
0004007785.tif 000014